(57)【要約】【課題】  ポータブル電子装置のタッチペン収納構造の提供。【解決手段】  タッチペンと収納凹溝で構成され、該タッチペンは末端に位置決め凸塊が凸設されたペン軸を具え、該収納凹溝はポータブル電子装置のケースの一側端に形成された開口と、該開口よりケース内部に延伸形成された収容溝とを具え、該開口の外周に傾斜面が形成されて該傾斜面の最低点に位置決めスリットが軸方向に凹設され該位置決めスリットがタッチペンの位置決め凸塊よりやや幅広とされ、タッチペンのペン軸が開口より収容溝内に挿入され且つ位置決め凸塊が開口の傾斜面に沿って案内されて容易に位置決めスリット内に導入されて収納位置決めの機能が達成される。【選択図】        図１
2006085515.tif 000002
【特許請求の範囲】
【請求項１】
ポータブル電子装置のタッチペン収納構造において、
ペン軸を具え、該ペン軸の末端周囲に位置決め凸塊が凸設されたタッチペンと、
ポータブル電子装置のケースの側端の開口と該開口よりケース内部に延伸された収容溝を具え、該開口の外周に傾斜面が形成され、該傾斜面の最低点にあって軸方向に位置決めスリットが凹設され、該位置決めスリットが該タッチペンの位置決め凸塊より幅広に設けられ、該タッチペンのペン軸が該開口より該収容溝内に挿入され且つ該位置決め凸塊が該開口の傾斜面の案内により容易に該位置決めスリット内に導入されて収納、位置決めされる収納凹溝と、
を具えたことを特徴とする、ポータブル電子装置のタッチペン収納構造。
【請求項２】
請求項１記載のポータブル電子装置のタッチペン収納構造において、ポータブル電子装置がウェブパッド装置とされたことを特徴とする、ポータブル電子装置のタッチペン収納構造。
【請求項３】
請求項１記載のポータブル電子装置のタッチペン収納構造において、位置決め凸塊がペン軸の軸方向に延伸されたことを特徴とする、ポータブル電子装置のタッチペン収納構造。
【請求項４】
請求項１記載のポータブル電子装置のタッチペン収納構造において、位置決めスリットの長さが位置決め凸塊の長さに等しいものとされたことを特徴とする、ポータブル電子装置のタッチペン収納構造。
【請求項５】
請求項１記載のポータブル電子装置のタッチペン収納構造において、ペン軸の前端に脱出防止凹溝が設けられ、前記収容溝の該脱出防止凹溝に対応する位置に少なくとも一つの脱出防止凸塊が設けられ、タッチペンが収納凹溝に収容された時、該脱出防止凸塊と該脱出防止凹溝の係合により脱出防止されることを特徴とする、ポータブル電子装置のタッチペン収納構造。
【請求項６】
請求項１記載のポータブル電子装置のタッチペン収納構造において、位置決め凸塊の表面が止滑部とされたことを特徴とする、ポータブル電子装置のタッチペン収納構造。
【発明の詳細な説明】
【技術分野】
【０００１】
本発明は一種のタッチペン収納構造に係り、特に、ポータブル電子装置に適用されるタッチペン収納構造に関する。
【背景技術】
【０００２】
ウェブパッド（ｗｅｂｐａｄ）装置はニューテクノロジー製品に属し、一般にラップトプ型コンピュータ、タブレットＰＣ或いはＰＤＡと比較されることが多い。一般に、ラップトップ型コンピュータ、タブレットＰＣはコンピュータがハイレベルのデータ処理能力を有し、それは周知のデスクトップ型コンピュータと較べて高い携帯性を有する。そのうちタブレットＰＣは手書き入力のタッチコントロール式スクリーンを具えている。上述の二つの製品は一般大衆の使用に適合する。ＰＤＡは比較的ローレベルの文字処理能力に重きが置かれ、例えば通信記録、メモ帳等の電子化された文字作業に供され、その訴求の対象もまた一般大衆である。
【０００３】
本発明のいわゆるウェブパッド装置はラップトップ型コンピュータとＰＤＡの間に位置し、それはラップトップ型コンピュータより軽量で並びにタブレットＰＣのタッチ入力機能を具え、特に重要であることは、無線オンラインの能力を具えていることで、例えば８０２．１１ｂ無線ネットワークカードが取り付けられて複雑で重いデータ計算作業を遠方のホストに送って処理させることができ、ウェブパッド装置は無線オンライン能力が強化されてスピーディー且つ正確に無線でデータアクセスを行なえる。このためその主要な訴求対象は病院、大型売り場、物流業、学校電子書籍等の特定の業務の特定用途とされて、前述のラップトップ型コンピュータ、タブレットＰＣ或いはＰＤＡとは異なる。
【０００４】
一般にウェブパッド装置の構造はトップカバーのないラップトップ型コンピュータと言う事もでき、液晶ディスプレイパネルとコンピュータを整合したフラットタイプコンピュータと言う事もできる。並びにタッチ入力が主要な入力方式とされる。タッチ入力は使用者の手指により達成されうるが、更に正確度を高めるため、通常はタッチペンが入力用に付設されている。
【０００５】
タッチペンの収納方式はポータブル電子装置にとっては重要ではないが、使用者にとっては使用効率上、配慮することは重要であり、使用、収納に便利なタッチペンは使用効率に直接的に関係する。現在市場されているＰＤＡ、ウェブパッド装置或いは携帯電話等のポータブル電子装置に使用されるタッチペンはいずれも簡単な構造で収納されており、タッチペンの取り出し時と収納時に使用者に効率的であると実感させられないものである。
【発明の開示】
【発明が解決しようとする課題】
【０００６】
本発明の主要な目的は、タッチペンの収納と取り出しが容易なポータブル電子装置のタッチペン収納構造を提供し、使用者がスピーディーな収納、取り出しを行なえると実感できる収納、取り出し方式を提供することにある。
【課題を解決するための手段】
【０００７】
請求項１の発明は、ポータブル電子装置のタッチペン収納構造において、
ペン軸を具え、該ペン軸の末端周囲に位置決め凸塊が凸設されたタッチペンと、
ポータブル電子装置のケースの側端の開口と該開口よりケース内部に延伸された収容溝を具え、該開口の外周に傾斜面が形成され、該傾斜面の最低点にあって軸方向に位置決めスリットが凹設され、該位置決めスリットが該タッチペンの位置決め凸塊より幅広に設けられ、該タッチペンのペン軸が該開口より該収容溝内に挿入され且つ該位置決め凸塊が該開口の傾斜面の案内により容易に該位置決めスリット内に導入されて収納、位置決めされる収納凹溝と、
を具えたことを特徴とする、ポータブル電子装置のタッチペン収納構造としている。
請求項２の発明は、請求項１記載のポータブル電子装置のタッチペン収納構造において、ポータブル電子装置がウェブパッド装置とされたことを特徴とする、ポータブル電子装置のタッチペン収納構造としている。
請求項３の発明は、請求項１記載のポータブル電子装置のタッチペン収納構造において、位置決め凸塊がペン軸の軸方向に延伸されたことを特徴とする、ポータブル電子装置のタッチペン収納構造としている。
請求項４の発明は、請求項１記載のポータブル電子装置のタッチペン収納構造において、位置決めスリットの長さが位置決め凸塊の長さに等しいものとされたことを特徴とする、ポータブル電子装置のタッチペン収納構造としている。
請求項５の発明は、請求項１記載のポータブル電子装置のタッチペン収納構造において、ペン軸の前端に脱出防止凹溝が設けられ、前記収容溝の該脱出防止凹溝に対応する位置に少なくとも一つの脱出防止凸塊が設けられ、タッチペンが収納凹溝に収容された時、該脱出防止凸塊と該脱出防止凹溝の係合により脱出防止されることを特徴とする、ポータブル電子装置のタッチペン収納構造としている。
請求項６の発明は、請求項１記載のポータブル電子装置のタッチペン収納構造において、位置決め凸塊の表面が止滑部とされたことを特徴とする、ポータブル電子装置のタッチペン収納構造としている。
【発明の効果】
【０００８】
本発明は、タッチペンの収納と取り出しが容易なポータブル電子装置のタッチペン収納構造を提供している。
【発明を実施するための最良の形態】
【０００９】
本発明のタッチペン収納構造は、タッチペンと収納凹溝で構成され、該タッチペンは末端に位置決め凸塊が凸設されたペン軸を具え、該収納凹溝はポータブル電子装置のケースの一側端に形成された開口と、該開口よりケース内部に延伸形成された収容溝とを具え、該開口の外周に傾斜面が形成されて該傾斜面の最低点に位置決めスリットが軸方向に凹設され該位置決めスリットがタッチペンの位置決め凸塊よりやや幅広とされ、タッチペンのペン軸が開口より収容溝内に挿入され且つ位置決め凸塊が開口の傾斜面に沿って案内されて容易に位置決めスリット内に導入されて収納位置決めの機能が達成される。
【実施例１】
【００１０】
図１は本発明の実施例の実施状態表示図である。図示されるように、本発明はウェブパッド装置のケース２及びタッチペン１を包含する。このタッチペン１はペン軸１０を具え、その末端に位置決め凸塊１１が設けられている。ウェブパッド装置のケース２の背板２１の側端２０に収納凹溝３が設置され、この収納凹溝３は側端２０にあって開口３５を形成し、並びにケース２内部に向けて延伸された収容溝２１１を具えている。該開口３５の外周に傾斜面３５０が形成され、且つ傾斜面３５０の最低点にあって軸方向に位置決めスリット３１が凹設されている。
【００１１】
本実施例では、この位置決めスリット３１がタッチペン１の位置決め凸塊１１よりやや幅広に設けられ、タッチペン１のペン軸１０が該開口３５より該収容溝２１１内に挿入され、且つ該位置決め凸塊１１が該開口３５の傾斜面３５０の案内により簡単に位置決め凸塊１１内に導入され収納、位置決めされる。
【００１２】
続いて図２の本発明の部分拡大図を参照されたい。本図中に示されるように、タッチペン１の前端に脱出防止凹溝１３が設けられ、収容溝２１１の内側の脱出防止凹溝１３に対応する位置に脱出防止凸塊３３が設置され、これによりタッチペン１が収納時の脱出防止凹溝１３と脱出防止凸塊３３の係合により脱落防止される。
【００１３】
最後に図３の本発明の部分拡大断面図を参照されたい。図示されるように、タッチペン１が収納構造内に収納される時、タッチペン１の位置決め凸塊１１が径方向のどの角度を向いていても、位置決め凸塊１１及び傾斜面３５０の相互係合案内により、タッチペン１が簡単に収納構造中に導入され、並びに位置決め凸塊１１と位置決めスリット３１の係合により位置決めされる。タッチペン１の後端１５は斜面とされ、その傾斜度は開口３５の傾斜面３５０の傾斜度と等しく、これによりタッチペン１をウェブパッド装置のケース２に収納する時に突出する部分がないものとされ、使用上の問題を形成せず、また平滑な美観を達成する。このほか、位置決め凸塊１１の一部表面に止滑部、例えば皺、波状突起或いは円弧状凹部等を設置可能で、使用者がタッチペン１を取り出す時に手指と止滑部の摩擦力或いは引っ掛けにより簡単に取り出せるものとされている。
【００１４】
注意すべきことは以下のことである。本発明の本実施例はウェブパッド装置に応用されたものであるが、その他のポータブル電子装置、例えばＰＤＡ、ラップトップ型コンピュータ、電子辞書、携帯電話等にも応用可能である。収納凹溝３のポータブル電子装置にあっての位置にも制限はなく、その背板の上面、前端或いはその他の電子装置内部構造の許容する位置とすることができるが、好ましくはポータブル電子装置の背板の側端とされる。位置決め凸塊１１はペン軸１０の軸方向に延伸されるが、凸点とすることも可能で、並びに位置決めスリット３１の長さと幅は位置決め凸塊或いは凸点のサイズにより改変されうる。止滑部の構造に制限はなく、皺面、円弧状凹部、波状突起或いはその他の同等の効果を有する構造とされうるが、皺面とされるのが好ましい。
【００１５】
以上の実施例は本発明の範囲を限定するものではなく、本発明に基づきなしうる細部の修飾或いは改変は、いずれも本発明の請求範囲に属するものとする。
【図面の簡単な説明】
【００１６】
【図１】本発明の実施例の実施状態表示図である。
【図２】本発明の実施例の部分拡大図である。
【図３】本発明の実施例の部分拡大断面図である。
【符号の説明】
【００１７】
１  タッチペン          １０  ペン軸      １１  位置決め凸塊
１３  脱出防止凹溝      １５  後端        ２  ケース
２０  側端              ２１  背板        ２１１  収容溝
３  収納凹溝            ３１  位置決めスリット    ３３  脱出防止凸塊
３５  開口              ３５０  傾斜面
【図１】
2006085515.tif 000003
【図２】
2006085515.tif 000004
【図３】
2006085515.tif 000005